(57)【特許請求の範囲】
【請求項１】
ステープルにより複数のシートを互いに綴じるための相互に可動に構成された一対の綴じ合わせ部を備えたステープラー機構部と、該ステープラー機構部における前記綴じ合わせ部の一方に直接若しくは間接的に取り付けられ、前記綴じ合わせ部の間に挿入された前記シートを保持するように構成されたシート保持手段とを備え、前記シート保持手段は弾性力により前記シートを保持するように構成されたクリップであるステープラー装置。
【請求項２】
請求項１において、前記クリップは、前記シートを保持する保持部と、該保持部に接続固定された操作レバー部と、前記保持部と前記操作レバー部との間において前記綴じ合わせ部の一方に直接若しくは間接的に固定された支点部と、前記保持部を挿入された前記シートに押し付ける方向に押圧する弾性部材とを備え、前記操作レバー部を操作することにより前記保持部による保持状態を解除できるように構成されているステープラー装置。
【請求項３】
請求項１において、前記シート保持手段は前記綴じ合わせ部の一方に対して固定された基板上に取り付けられているステープラー装置。
【請求項４】
請求項３において、前記ステープラー機構部は前記基板に対して着脱可能に装着されているステープラー装置。
【請求項５】
請求項３又は請求項４において、前記基板には、他の物品に取付けるための取付手段が設けられているステープラー装置。
【発明の詳細な説明】
【０００１】
【発明の属する技術分野】
本発明はステープラー装置に関する。
【０００２】
【従来の技術】
従来から、一対の綴じ合わせ部をヒンジ結合して相互に可動に構成し、一方の綴じ合わせ部の内部にコ字型のステープルを多数収容した手動若しくは電動のステープラー装置が数多く市販されている。このようなステープラー装置においては、一対の綴じ合わせ部の間に複数のシート、例えば用紙を重ねて挿入し、一対の綴じ合わせ部により用紙を挟み付けると、ステープルが複数の用紙を刺し通してから折り曲げられるため、用紙を相互に綴じることができる。
【０００３】
【発明が解決しようとする課題】
ところが、上記従来のステープラー装置においては、特に手動のステープラー装置の場合に、用紙を積層状態に束ねて一対の綴じ合わせ部の間に挿入した後、綴じ合わせ部を挟み付ける際に、用紙の積層状態が崩れて複数の用紙が相互にずれた状態で綴じられてしまうことがある。そのため、用紙の積層状態を手で押さえて保持しながら用紙を綴じ込む必要があるので、綴じ込み作業が困難であり、特に多数枚の用紙を綴じ込む場合には綴じ合わせ部の挟み付けに充分な力を加えることが難しいという問題点がある。
【０００４】
そこで、本発明は上記問題点を解決するものであり、その課題は、複数のシートをずれなく容易に綴じ込むことのできる新規のステープラー装置を提供することにある。
【０００５】
【課題を解決するための手段】
上記課題を解決するために本発明が講じた手段は、ステープルにより複数のシートを互いに綴じるための相互に可動に構成された一対の綴じ合わせ部を備えたステープラー機構部と、該ステープラー機構部における前記綴じ合わせ部の一方に直接若しくは間接的に取り付けられ、前記綴じ合わせ部の間に挿入された前記シートを保持するように構成されたシート保持手段とを備えているステープラー装置である。
【０００６】
この手段によれば、複数のシートをクリップに挟み込んだ状態でその積層状態を保持してステープラー機構部により綴じることができるので、シートの積層状態の崩れを抑制し、綴じ込み状態のシートずれを低減することができる。
【０００７】
ここで、前記シート保持手段は弾性力により前記シートを保持するように構成されたクリップであることが好ましい。
【０００８】
この手段によれば、シート保持手段が弾性力によりシートを保持するように構成されたクリップであるので、簡易に構成でき、小型化も可能であって、さらに動力も不要である。
【０００９】
この場合にはまた、前記クリップは、前記シートを保持する保持部と、該保持部に接続固定された操作レバー部と、前記保持部と前記操作レバー部との間において前記綴じ合わせ部の一方に直接若しくは間接的に固定された支点部と、前記保持部を挿入された前記シートに押し付ける方向に押圧する弾性部材とを備え、前記操作レバー部を操作することにより前記保持部による保持状態を解除できるように構成されていることが望ましい。
【００１０】
この手段によれば、操作レバー部を操作することにより能動的にクリップを開くことができるので、確実に複数のシートを挟み込むことができるとともに、操作レバーにより支点部を介して保持部を開くようにしているため、シートの押圧力を強くしても支障がない。
【００１１】
なお、上記各手段において以下のような手段を付加することが好ましい。すなわち、ステープラー機構部と、シート保持手段又はクリップとが着脱可能に構成されていることが好ましい。また、クリップの先端部にはシートを迎え入れるためのガイド形状、例えばクリップの挟み込み部（接触部或いは当接部）から先端側へ向けて開くような形状が形成されており、シートをクリップの先端部から挿入することによってシートが自動的にクリップに挟み込まれるように構成することが好ましい。
【００１２】
また、前記シート保持手段は前記綴じ合わせ部の一方に対して固定された基板上に取り付けられていることが好ましい。
【００１３】
この手段によれば、基板上にシート保持手段が取り付けられているため、ステープラー機構部自体に直接に取り付けなくてもよく、充分な取付面積を確保するとができるとともに取付構造も簡単になり、組立作業も容易になる。
【００１４】
この場合にはまた、前記ステープラー機構部は前記基板に対して着脱可能に装着されていることが望ましい。
【００１５】
この手段によれば、ステープラー機構部が基板に対して着脱可能に装着されているので、ステープラー機構部を基板から取り外して単独で使用することができるとともに、基板に取り付けられたシート保持手段をファイルホルダーやクリップなどとして単独で使用することが可能になる。
【００１６】
これらの場合にはさらに、前記基板には、他の物品に取付けるための取付手段が設けられていることが望ましい。
【００１７】
この手段によれば、基板に取付手段が設けられているため、基板及びシート保持手段をシートホルダーやクリップとして用いる場合に、基板を他の物品に取り付けることにより、シートを種々の物品に取り付ける器具として機能する。
【００１８】
なお、取付手段とは、基板を他の物品に取り付けるための種々の手段であり、例えば、両面テープ、マグネット、フック、クリップ、面ファスナーなどの何らかの取付手段を言い、他の物品とは、壁材、机、ホワイトボード、釘、紐、ワイヤなどの種々の物品を言う。
【００１９】
【発明の実施の形態】
次に、添付図面を参照して本発明に係るステープラー装置の実施形態について説明する。
【００２０】
（第１実施形態）
図１乃至図３は本発明に係る第１実施形態のステープラー装置の構造を示すものである。合成樹脂、金属、木材などからなる基板１０の上面にはステープラー機構部２０が装着固定されており、このステープラー機構部２０には、ヒンジ軸２１にてシリンダカバー２２、シリンダ２３及びベース２４がそれぞれ回動可能にヒンジ接合されている。シリンダカバー２２とシリンダ２３は相互に軽く係合するように構成されており、図示しない内部の係合部と板バネによって無負荷では図示のように或る程度の角度差を以て相互に保持されている。ベース２４は基板１０に対して後述するように嵌合している。
【００２１】
シリンダカバー２２及びシリンダ２３は双方によって一対の綴じ合わせ部のうちの一つを構成しており、ベース２４は綴じ合わせ部のもう一つを構成する。シリンダ２３の内部には、その延長方向に多数のコ字状のステープル（針）が収容され、図示しない押圧部材により先端側に押圧されている。シリンダ２３の先端にはステープルを下方に通過させることの可能な針出口が形成されている。シリンダカバー２２の先端部には下方に伸びる針押板２２ａが固定されており、この針押板２２ａがシリンダ２３の先端に挿入されるとシリンダ２３の内部先端に収容されたステープルが針出口から下方に押し出されるようになっている。
【００２２】
一方、ベース２４の先端側上面には、上記シリンダ２３の針出口２４ａに対応する位置に針曲座部２４ａが形成されている。この針曲座部２４ａは、シリンダ２３の針出口から押し出されたステープルの一対の脚部を内側に折り曲げるように誘導する針ガイド溝を備えている。
【００２３】
基板１０の先端側の上面にはクリップ体３０が固着されている。このクリップ体３０は金属や合成樹脂からなる弾性体で一体的に構成されており、基板１０とベース２４の先端部との間に収容された下側部３１と、ちょうどベース２４の先端部を回避するようにえぐられた形状の上側部３２とを備えている。下側部３１と上側部３２とは、その先端部近傍において、図２（ｂ）に示すように相互に接触しており、さらに先端部においては再び開いた形状に構成されている。クリップ体３０の先端部には複数の用紙を積層した状態で挿入することができるようになっており、図２に示すように用紙の積層体４０を下側部３１と上側部３２との間に挿入すると、クリップ体３０の弾性力により積層体４０がそのままの状態にて軽く挟持され、その積層状態が保持されるようになっている。
【００２４】
図３は、本実施形態のステープラー機構部２０を基板１０から外した状態を示すものである。基板１０の上面には嵌合溝１０ａが形成されている。この嵌合溝１０ａは、図３における基板１０の下端部から上方に向けて途中まで伸びるように形成されており、その延長方向（図示上下方向）に見た開口断面がほぼ逆姿勢の台形状になるように、側面がオーバーハング状に傾斜している。一方、ステープラー機構部２０のベース２４の底面には、上記の嵌合溝１０ａに対応して嵌合する形状の突出部２０ａが形成されている。上記の嵌合溝１０ａと突出部２０ａとによって、ステープラー機構部２０を基板１０の図示下方からスライドさせて挿入することができるようになっている。
【００２５】
基板１０の嵌合溝１０ａの奥部の側面には僅かに突出した突起１０ｂが形成されており、また、ステープラー機構部２０の突出部２０ａの上記突起１０ｂに対応した位置には僅かに凹んだ凹部２０ｂが形成されている。このため、ステープラー機構部２０を図示上方に向けて基板１０の嵌合溝１０ａに挿入させていくと、突出部２０ａの先端部が突起１０ｂに当接する。ここで、やや力を入れて押し込むようにすると、突出部２０ａは突起１０ｂを乗り越えてさらに奥に進み、やがて突起１０ｂは突出部２０ａの凹部２０ｂにはまりこむ。この突起１０ｂと凹部２０ｂとの係合により、ステープラー機構部２０は基板１０に対してある程度の保持力を以て固定される。
【００２６】
基板１０の裏面上に両面テープやマグネットなどを装着すると、壁や磁性体からなる壁、黒板、ホワイトボード、机、その他の種々の物品の表面等に固着させることができる。また、基板１０の先端若しくは基端にフック、別のクリップ、面ファスナーなどを取り付けることにより装置全体を釘、画鋲、紐、ワイヤ、その他の金具などに吊り下げることができる。これら両面テープ、マグネット、フック、クリップ、面ファスナー等の取付手段は、基板１０を種々の場所に設置するためのものであり、装置全体を取付して、ステープラー装置を手などで保持することなく、その場でステープラー機構部を作動させることもできれば、ステープラー機構部２０を基板１０から外し、基板１０とクリップ体３０とを取付してクリップ器具として用いることもできる。クリップ器具としては、クリップ体３０に紙その他のシート類を挟み込んで使用する。
【００２７】
なお、紙などの積層体４０をクリップ体３０に挿入する場合、クリップ体３０における下側部３１と上側部３２とが接続する根元部の近傍にて積層体４０の挿入深さを規制してもよい。
【００２８】
本実施形態においては、ステープラー機構部２０とクリップ体３０とを設け、クリップ体３０によってステープラー機構部２０の先端部に挿入された積層体４０を挟み込むことができるので、シリンダカバー２２を押し下げてステープルを用紙に挿通させて綴じ込む際に発生する用紙のずれを低減することができる。
【００２９】
また、クリップ体３０においては、上下から積層体４０を挟み込む下側部３１と上側部３２とが基部側にて接続された形状を備えているので、クリップ体３０自身によって積層体４０の挿入深さを規制することができる。
【００３０】
さらに、本実施形態ではステープラー機構部２０と、クリップ体３０とを分離することができるので、ステープラー機構部２０を通常のステープラーとして用いることができるとともに、クリップ体３０も通常のクリップとして用いることができる。特に、クリップ体３０を基板１０に固着させており、基板１０に取付手段である両面テープ、マグネット、フック、クリップ、面ファスナー等を設けることによって、種々の場所に取付した状態でクリップとして用いることができるため、事務用品として多くの機能を備えたものとなる。
【００３１】
本実施形態では、クリップ体３０を能動的に操作することなく用紙の積層体４０を差し入れるだけで自然に挟み込むことができるので作業が容易になる。ここで、クリップ体３０は下側部３１と上側部３２とから構成されているが、下側部３１の代わりに基板１０の表面を用い、上側部３２のみで上方から積層体４０を押さえ付けてもよい。
【００３２】
（第２実施形態）
次に、図４を参照して本発明に係る第２実施形態について説明する。この実施形態においては、基板５０に対してステープラー機構部６０が装着されており、さらに基板５０上にクリップ体７０が取り付けられている。ここで、基板５０及びステープラー機構部６０は、上記第１実施形態の基板１０及びステープラー機構部２０と同構造である。
【００３３】
本実施形態において、クリップ体７０は、基板５０におけるステープラー機構部６０の両側方部分に固定された一対の支点部７１，７１と、支点部７１，７１からステープラー機構部６０の先端側に向けて伸びる湾曲形状の一対の保持アーム７２，７２と、支点部７１，７１からステープラー機構部６０のヒンジ軸６１側に向けて伸びる湾曲形状の一対の操作レバー７３，７３と、一対の保持アーム７２，７２の先端部を相互に接続する保持枠部７４と、一対の操作レバー７３，７３の先端部を相互に接続する連結部７５と、支点部７１，７１から先端側に基板５０の表面上を伸びる一対の規制部材７６とからなる。支点部７１，７１は、図示しない内蔵ばねによって保持アーム７２，７２を基板５０側に回動させるように付勢しており、放置状態では、保持枠部７４が常に基板５０の表面上に当接するようになっている。
【００３４】
本実施形態では、まず、操作レバー７３及び連結部７５を図示しない内蔵ばねの弾性力に逆らって下方に押し下げることにより保持枠部７４を上方に引き上げた状態とし、この状態で上述の第１実施形態と同様に用紙の積層体をステープラー機構部６０の先端部に挿入する。積層体の挿入後に操作レバー７３及び連結部７５を離すことにより保持枠部７４を積層体の上部に押しつけ、保持させる。
【００３５】
ここで、規制部材７６によってステープラー機構部６０の先端部に挿入された積層体の挿入深さが規制される。規制部材７６は支点部７１に対して積層体の挿入深さを増減するためにスライド可能に取り付けられていることが好ましい。
【００３６】
本実施形態では、クリップ体７０の保持枠部７４で基板５０の表面との間に用紙の積層体を挟み込むようになっているので、挟み込む部分が片方だけで足りるようになっている。また、クリップ体７０の保持枠部７４は操作レバー７３及び連結部７５を操作することによって支点部７１を介して操作することができるので、積層体の着脱が容易になるとともに、能動的に操作することができるようになっているため、内蔵ばねを強化してその弾性力を大きくすることができるので積層体自身及びその積層状態に対する保持力を強くすることができる。
【００３７】
【発明の効果】
本発明によれば、複数のシートをクリップに挟み込んだ状態でその積層状態を保持してステープラー機構部により綴じることができるので、シートの積層状態の崩れを抑制し、綴じ込み状態のシートずれを低減することができる。
【図面の簡単な説明】
【図１】本発明に係るステープラー装置の第１実施形態の構造を示す斜視図である。
【図２】第１実施形態の平面図（ａ）及び側面図（ｂ）である。
【図３】第１実施形態において基板からステープラー機構部を取り外した状態を示す平面図である。
【図４】本発明に係るステープラー装置の第２実施形態の構造を示す斜視図である。
【符号の説明】
１０，５０  基板
１０ａ  嵌合溝
１０ｂ  突起
２０，６０  ステープラー機構部
２０ａ  突出部
２０ｂ  凹部
２１，６１  ヒンジ軸
２２  シリンダカバー
２３  シリンダ
２４  ベース
３０，７０  クリップ体
３１  下側部
３２  上側部
４０  積層体
７１  支点部
７２  保持アーム
７３  操作レバー
７４  保持枠部
７５  連結部
７６  規制部材
【図１】
0003571895.tif 000002
【図２】
0003571895.tif 000003
【図３】
0003571895.tif 000004
【図４】
0003571895.tif 000005